(57)【要約】【課題】成膜時間の短縮化と連続成膜が可能な蒸着装置及び蒸着方法を提供する。【解決手段】本発明に係る蒸着装置１は、真空チャンバ２と、インデックステーブル３０（回転台）と、複数の蒸発源３１と、回動機構３２と、第１及び第２の加熱機構３３、３４とを具備する。回転台は、回動機構によって回動されることで、回転台上の複数の蒸発源を予備加熱位置Ｐ１と成膜位置Ｐ２とに順次移動させる。第１の加熱機構は、成膜位置に属する蒸発源に収容された蒸着材料を加熱する。第２の加熱機構は、予備加熱位置に属する蒸発源に収容された蒸着材料を加熱する。各蒸発源は、予備加熱位置から成膜位置に移動させられる。成膜位置は、回転台の回動方向から見て、予備加熱位置の下流側に隣接して配置される。予備加熱位置で加熱された蒸発材料は、その温度が保持されたまま、成膜位置へ移動させられるので、蒸発に要する時間を短くすることができる。【選択図】図２
2011080136.tif 000002
【特許請求の範囲】
【請求項１】
真空排気可能なチャンバと、
前記チャンバの内部に配置され、成膜位置と前記成膜位置に隣接する予備加熱位置とを有する回転台と、
前記回転台上に所定角度間隔で同一円周上に配置され、前記成膜位置に属する第１の蒸発源と前記予備加熱位置に属する第２の蒸発源とを含む複数の蒸発源と、
前記回転台を前記所定角度ずつ回動させることで、前記複数の蒸発源を前記予備加熱位置と前記成膜位置とに順次移動させる回動機構と、
前記第１の蒸発源と電気的に接続されることで、前記第１の蒸発源に収容された蒸着材料を加熱可能な第１の加熱機構と、
前記第２の蒸発源と電気的に接続されることで、前記第２の蒸発源に収容された蒸着材料を加熱可能な第２の加熱機構と
を具備する蒸着装置。
【請求項２】
請求項１に記載の蒸着装置であって、
前記第１及び第２の蒸発源は、第１の端子部をそれぞれ有し、
前記第１及び第２の加熱機構は、前記第１の端子部と当接可能な第２の端子部をそれぞれ有し、
前記蒸着装置は、前記回転台の回転時に前記第１の端子部と前記第２の端子部とを離間させ、前記回転台の回転停止時に前記第１の端子部と前記第２の端子部とを相互に接触させるスイッチング機構をさらに具備する
蒸着装置。
【請求項３】
請求項２に記載の蒸着装置であって、
前記スイッチング機構は、前記第１及び第２の蒸発源と前記第１及び第２の加熱機構との接続及び遮断を同時に切り替える
蒸着装置。
【請求項４】
請求項３に記載の蒸着装置であって、
前記第１及び第２の加熱機構は、前記第２の端子部を前記第１の端子部に対して相対移動させるためのガイド部をさらに有し、
前記スイッチング機構は、
前記第１及び第２の加熱機構の前記第２の端子部それぞれに連結された駆動ロッドと、
前記駆動ロッドを伸縮させることで前記各第２の端子部を前記ガイド部に沿って移動させる駆動源とを有する
蒸着装置。
【請求項５】
請求項１に記載の蒸着装置であって、
前記蒸発源は、前記蒸着材料を収容する複数の円筒状ボートをそれぞれ有する
蒸着装置。
【請求項６】
回転台を所定角度回動させることで、前記回転台上に配置された第１の蒸発源を予備加熱位置へ移動させ、
前記予備加熱位置において前記第１の蒸発源に収容された蒸着材料を第１の所定温度に保持し、
前記回転台を前記所定角度回動させることで、前記第１の蒸発源を前記予備加熱位置から成膜位置へ移動させ、前記回転台上に前記第１の蒸発源に隣接して配置された第２の蒸発源を前記予備加熱位置へ移動させ、
前記予備加熱位置において前記第２の蒸発源に収容された蒸着材料を前記第１の所定温度に保持し、前記成膜位置において前記第１の蒸発源に収容された蒸着材料を前記第１の所定温度よりも高い第２の所定温度に加熱することで前記第１の蒸発源に収容された蒸着材料を蒸発させる
蒸着方法。
【請求項７】
請求項６に記載の蒸着方法であって、
前記第２の蒸発源に収容された蒸着材料は、前記成膜位置において前記第１の蒸発源に収容された蒸着材料が加熱されてから所定時間経過後に、前記予備加熱位置において加熱される
蒸着方法。
【請求項８】
請求項６に記載の蒸着方法であって、さらに、
前記第１の蒸発源に収容された蒸着材料を蒸発させた後、前記回転台を前記所定角度回動させることで、前記第２の蒸発源を前記予備加熱位置から前記成膜位置へ移動させる
蒸着方法。
【発明の詳細な説明】
【技術分野】
【０００１】
本発明は、複数の蒸発源を有し連続成膜が可能な蒸着装置及び蒸着方法に関する。
【背景技術】
【０００２】
画像医療の分野において、デジタル方式の放射線画像検出装置の開発が進められている。この種の放射線画像検出装置においては、放射線を可視光に変換するシンチレータパネルが用いられる。シンチレータパネルは、放射線により発光する特性を有するＸ線蛍光体で作製されたシンチレータ層を有する。
【０００３】
近年、低線量の撮影においてのＳＮ比を向上させるため、発光効率の高いシンチレータパネルが要求されている。一般に、シンチレータパネルの発光効率は、シンチレータ層の厚さ、蛍光体のＸ線吸収係数などによって決定される。例えば、シンチレータ層が厚いほど、感度が向上するため、発光効率が高くなる。しかし、シンチレータ層が厚いほど、シンチレータ内での発光光の散乱が発生するため、鮮鋭性（解像度）は低下する。
【０００４】
一方、シンチレータ材料のひとつとして、ヨウ化セシウム（ＣｓＩ）が知られている。ヨウ化セシウムは、Ｘ線から可視光への変換効率が比較的高いという利点がある。ヨウ化セシウムの柱状結晶は、光ガイド効果を有し、結晶内での発光光の散乱を抑える。したがって、鮮鋭性を低下させることなくシンチレータ層を厚くすることが可能となる。
【０００５】
ヨウ化セシウムの柱状結晶は、真空蒸着法によって形成することができる。例えば特許文献１には、高真空中で原料を加熱し蒸発させることで、基板上に蛍光膜を蒸着する方法が記載されている。
【０００６】
真空蒸着法においては蒸着材料の使用効率が比較的低いため、３００〜１０００μｍ程度の厚みの蒸着膜を形成する場合、大量の蒸着材料が必要となり、成膜時間も長時間に及ぶ。また、２つ以上の蒸発源を切り替えて蒸着膜を形成する方法が知られている。例えば特許文献２には、回転昇降台の上に複数個の蒸着源を配置し、加熱する蒸着源を順次切り替えて、蒸着膜を連続的に形成する蒸着装置及び蒸着方法が記載されている。
【先行技術文献】
【特許文献】
【０００７】
【特許文献１】特公昭５４−３５０６０号公報（第２頁第４欄第２８〜３５行）
【特許文献２】特開平１１−２２２６６８号公報（段落[００４８]、［００４９］、図１）
【発明の概要】
【発明が解決しようとする課題】
【０００８】
上記特許文献２に記載の蒸着装置及び蒸着方法においては、蒸着源の切り替えの際、切り替えられた新しい蒸着源から蒸発材料を蒸発させるに先立って、当該蒸発材料を溶かし込む時間が必要となる。このため、成膜に要する時間が長くなるという問題がある。
【０００９】
また上述のように、特許文献２に記載の蒸着装置は、蒸着源の切り替えの際に蒸発材料を溶かし込む時間が必要であるため、蒸着源の切り替えの前後にわたる連続成膜が不可能である。このため、上述したように比較的大きな厚みを有するヨウ化セシウムの成膜に上記特許文献２に記載の蒸着装置を適用した場合、成膜面へのガス吸着や基板温度などの条件の変動により柱状結晶の乱れや界面の形成が起こり、所望の鮮鋭度や発光効率が得られなくなる。
【００１０】
以上のような事情に鑑み、本発明の目的は、成膜時間の短縮化と連続成膜が可能な蒸着装置及び蒸着方法を提供することにある。
【課題を解決するための手段】
【００１１】
上記目的を達成するため、本発明の一形態に係る蒸着装置は、チャンバと、回転台と、複数の蒸発源と、回動機構と、第１の加熱機構と、第２の加熱機構とを具備する。
上記チャンバは、真空排気可能に構成されている。
上記回転台は、上記チャンバの内部に配置される。上記回転台は、成膜位置と、上記成膜位置に隣接する予備加熱位置とを有する。
上記複数の蒸発源は、上記回転台上に所定角度間隔で同一円周上に配置される。上記複数の蒸発源は、上記成膜位置に属する第１の蒸発源と、上記予備加熱位置に属する第２の蒸発源とを含む。
上記回動機構は、上記回転台を上記所定角度ずつ回動させることで、上記複数の蒸発源を上記予備加熱位置と上記成膜位置とに順次移動させる。
上記第１の加熱機構は、上記第１の蒸発源と電気的に接続されることで、上記第１の蒸発源に収容された蒸着材料を加熱することが可能である。
上記第２の加熱機構は、上記第２の蒸発源と電気的に接続されることで、上記第２の蒸発源に収容された蒸着材料を加熱することが可能である。
【００１２】
また、上記目的を達成するために、本発明の一形態に係る蒸着方法は、回転台を所定角度回動させることで、上記回転台上に配置された第１の蒸発源を予備加熱位置へ移動させることを含む。
上記第１の蒸発源に収容された蒸着材料は、上記予備加熱位置において第１の所定温度に保持される。
上記回転台を上記所定角度回動させることで、上記第１の蒸発源は上記予備加熱位置から成膜位置へ移動させられ、上記回転台上に上記第１の蒸発源に隣接して配置された第２の蒸発源は、上記予備加熱室へ移動させられる。
上記第２の蒸発源に収容された蒸着材料は、上記予備加熱位置において上記第１の所定温度に加熱される。上記第１の蒸発源に収容された蒸着材料は、上記成膜位置において上記第１の所定温度よりも高い第２の所定温度で加熱され、これにより上記第１の蒸発源に収容された蒸着材料は、蒸発させられる。
【図面の簡単な説明】
【００１３】
【図１】本発明の一実施形態に係る蒸着装置の構成を示す部分側断面図である。
【図２】上記蒸着装置を構成する蒸発源ユニットを示す平面図である。
【図３】上記蒸発源ユニットの側断面図である。
【図４】上記蒸発源ユニットを構成する加熱機構を示す部分側断面図である。
【図５】上記蒸発源ユニットを構成するスイッチング機構を示す要部の平面図である。
【図６】上記スイッチング機構の動作を説明する要部の平面図である。
【図７】上記蒸着装置を構成するステージと蒸発源ユニットとの関係を説明する図であり、（Ａ）は側面図、（Ｂ）は平面図である。
【図８】上記蒸着装置の一作用を説明する図であり、成膜時間の比較を示すタイミングチャートである。
【図９】上記蒸着装置の他の作用を説明する図であり、蒸発源の指向特性を示す一実験結果である。
【発明を実施するための形態】
【００１４】
本発明の一実施形態に係る蒸着装置は、チャンバと、回転台と、複数の蒸発源と、回動機構と、第１の加熱機構と、第２の加熱機構とを具備する。
上記チャンバは、真空排気可能に構成されている。
上記回転台は、上記チャンバの内部に配置される。上記回転台は、成膜位置と、上記成膜位置に隣接する予備加熱位置とを有する。
上記複数の蒸発源は、上記回転台上に所定角度間隔で同一円周上に配置される。上記複数の蒸発源は、上記成膜位置に属する第１の蒸発源と、上記予備加熱位置に属する第２の蒸発源とを含む。
上記回動機構は、上記回転台を上記所定角度ずつ回動させることで、上記複数の蒸発源を上記予備加熱位置と上記成膜位置とに順次移動させる。
上記第１の加熱機構は、上記第１の蒸発源と電気的に接続されることで、上記第１の蒸発源に収容された蒸着材料を加熱することが可能である。
上記第２の加熱機構は、上記第２の蒸発源と電気的に接続されることで、上記第２の蒸発源に収容された蒸着材料を加熱することが可能である。
【００１５】
上記蒸着装置において、回転台は、回動機構によって回動されることで、回転台上の複数の蒸発源を予備加熱位置と成膜位置とに順次移動させる。第１の加熱機構は、成膜位置に属する蒸発源（第１の蒸発源）に収容された蒸着材料を加熱する。第２の加熱機構は、予備加熱位置に属する蒸発源（第２の蒸発源）に収容された蒸着材料を加熱する。各蒸発源は、予備加熱位置から成膜位置に移動させられる。成膜位置は、回転台の回動方向から見て、予備加熱位置の下流側に隣接して配置される。これにより、予備加熱位置で加熱された蒸発材料は、その温度が保持されたまま、成膜位置へ移動させられる。
したがって、上記蒸着装置によれば、成膜位置に供給された蒸着材料は予備加熱位置であらかじめ加熱されているため、当該蒸着材料を成膜位置で溶かし込む時間を削減でき、速やかに蒸着材料を蒸発させることができる。これにより、成膜時間の短縮化を図ることができるとともに、複数の蒸発源を用いた連続成膜が可能となる。
【００１６】
上記第１及び第２の蒸発源は第１の端子部を、第１及び第２の加熱機構は第２の端子部をそれぞれ有していてもよい。この場合、上記蒸着装置は、スイッチング機構をさらに具備することができる。上記スイッチング機構は、上記回転台の回転時に上記第１の端子部と上記第２の端子部とを離間させ、上記回転台の回転停止時に上記第１の端子部と上記第２の端子部とを相互に接触させる。
これにより、回転台の回動動作に影響を与えることなく、成膜位置及び予備加熱位置に属する各蒸発源と第１及び第２の加熱機構との間の電気的接続及び遮断が可能となる。また、複数の蒸発源のうち、成膜位置及び予備加熱位置に属する蒸発源に対して、第１及び第２の加熱機構を選択的に加熱することができる。
【００１７】
上記スイッチング機構は、上記第１及び第２の蒸発源と上記第１及び第２の加熱機構との接続及び遮断を同時に切り替えてもよい。
これにより、成膜位置及び予備加熱位置それぞれについて別々に加熱機構を駆動する場合と比較して、工程時間の短縮化を図ることができ、複数の蒸発源を用いた連続成膜が実現可能となる。
【００１８】
上記第１及び第２の加熱機構は、上記第２の端子部を上記第１の端子部に対して相対移動させるためのガイド部をさらに有してもよい。上記スイッチング機構は、上記第１及び第２の加熱機構の上記第２の端子部それぞれに連結された駆動ロッドと、上記駆動ロッドを伸縮させることで上記各第２の端子部を上記ガイド部に沿って移動させる駆動源とを有する。
これにより、駆動ロッドの伸縮動作によって、第１及び第２の蒸発源に対する第１及び第２の加熱機構の接続及び遮断を行うことができる。
【００１９】
上記蒸発源は、上記蒸着材料を収容する複数の円筒状ボートをそれぞれ有してもよい。
各ボートに収容される蒸着材料は、同一の材料とされるが、異種の材料でも構わない。また、ボート毎に蒸着材料の蒸発量を調整するようにしてもよい。
【００２０】
本発明の一実施形態に係る蒸着方法は、回転台を所定角度回動させることで、上記回転台上に配置された第１の蒸発源を予備加熱位置へ移動させることを含む。
上記第１の蒸発源に収容された蒸着材料は、上記予備加熱位置において第１の所定温度に保持される。
上記回転台を上記所定角度回動させることで、上記第１の蒸発源は上記予備加熱位置から成膜位置へ移動させられ、上記回転台上に上記第１の蒸発源に隣接して配置された第２の蒸発源は、上記予備加熱室へ移動させられる。
上記第２の蒸発源に収容された蒸着材料は、上記予備加熱位置において上記第１の所定温度に加熱される。上記第１の蒸発源に収容された蒸着材料は、上記成膜位置において上記第１の所定温度よりも高い第２の所定温度で加熱され、これにより上記第１の蒸発源に収容された蒸着材料は、蒸発させられる。
【００２１】
上記蒸着方法によれば、成膜位置に供給された蒸着材料は予備加熱位置であらかじめ加熱されているため、当該蒸着材料を成膜位置で溶かし込む時間を削減でき、速やかに蒸着材料を蒸発させることができる。これにより、成膜時間の短縮化を図ることができるとともに、複数の蒸発源を用いた連続成膜が可能となる。
【００２２】
上記第２の蒸発源に収容された蒸着材料は、上記成膜位置において上記第１の蒸発源に収容された蒸着材料が加熱されてから所定時間経過後に、上記予備加熱位置において加熱されるようにしてもよい。
すなわち、第２の蒸発源に収容された蒸着材料は、予備加熱位置から成膜位置へ移動されるまでに第１の所定温度に達していればよいので、第２の蒸発源における加熱開始時間は、第１の蒸発源側よりも遅れてもよい。これにより、蒸着材料の加熱によるエネルギーを低減することができる。
【００２３】
上記第１の蒸発源に収容された蒸着材料を蒸発させた後、上記回転台を上記所定角度回動させることで、上記第２の蒸発源は、上記予備加熱位置から上記成膜位置へ移動させられる。
これにより、第１の蒸発源と第２の蒸発源を用いた連続成膜が可能となる。
【００２４】
以下、図面を参照しながら、本発明の実施形態を説明する。
【００２５】
図１は、本発明の一実施形態に係る蒸着装置を示す図である。本実施形態の蒸着装置１は、真空チャンバ２と、蒸発源ユニット３とを備える。
【００２６】
真空チャンバ２は、内部に蒸着室Ｖを形成し、バルブ４を介して真空ポンプ５と接続されることで蒸着室Ｖが真空排気可能とされている。真空チャンバ２には、蒸着室Ｖにプロセスガスを導入するためのガス導入管９が設置されている。プロセスガスとしては、アルゴン等の不活性ガスのほか、酸素や窒素等の反応性ガスが含まれる。
【００２７】
蒸着室Ｖの上方には、基板を支持するステージ６が設置されている。ステージ６は、円形であり、その中心部に駆動モータ７の回転軸７ａが固定されている。回転軸７ａは、真空チャンバ２の上壁部を気密かつ回転自在に貫通している。これにより、ステージ６は、駆動モータ７によって回転自在に構成されている。
【００２８】
ステージ６は、その下面に基板Ｓを支持する。基板Ｓには、例えば、ガラス基板が用いられる。基板Ｓの成膜面には、あらかじめ、アルミニウムやカーボンなどの下地膜、あるいは光学デバイス等の機能層が形成されていてもよい。また、成膜中、基板Ｓを所定温度に加熱するためのヒータ（図示略）を、ステージ６に設置してもよい。
【００２９】
蒸発源ユニット３は、移動台車１０に設置されている。移動台車１０は、真空チャンバ２の一側壁部２ａに対して着脱自在に構成されている。移動台車１０が真空チャンバ２に接続されると、蒸発源ユニット３は、真空チャンバ２の内部の所定位置に配置される。蒸発源ユニット３のメンテナンス時、移動台車１０は真空チャンバ２と分離され、蒸発源ユニット３は、真空チャンバ２の側壁部２ａに形成された開口２ｂを介して、真空チャンバ２の外部へ取り出される。
【００３０】
次に、蒸発源ユニット３の詳細について説明する。
【００３１】
蒸発源ユニット３は、インデックステーブル３０（回転台）と、複数の蒸発源３１と、回動機構３２と、第１の加熱機構３３と、第２の加熱機構３４とを有する。
【００３２】
図２は、蒸発源ユニット３の平面図である。図３は、蒸発源ユニット３の要部の側断面図である。インデックステーブル３０は、円盤形状を有しており、その中心部には基部３０ａが形成されている。インデックステーブル３０は、後述する回動機構３２によって、水平面内においてその中心のまわりに所定角度ピッチで回動可能に構成されている。蒸発源３１は、インデックステーブル３０の上面の同一円周上に上記所定角度ピッチで等間隔に配置されている。本実施形態では、蒸発源３１は１０個備えられており、インデックステーブル３０の回転中心のまわりに３６度ピッチで配置されている。蒸発源３１の設置数は上記の例に限定されず、適宜変更することが可能である。
【００３３】
インデックステーブル３０は、矢印Ｒで示す方向に回転することで、その周方向に１０分割された位置Ｐ１〜Ｐ１０に各蒸発源３１を順次移動させる。本実施形態では、位置Ｐ１は予備加熱位置、位置Ｐ２は成膜位置、位置Ｐ３〜Ｐ１０は待機位置とされている。予備加熱位置Ｐ１において、蒸発源３１に収容された蒸着材料は、その融点よりも低い予備加熱温度に加熱される。成膜位置Ｐ２において、蒸発源３１に収容された蒸着材料は、その融点以上の温度に加熱される。待機位置Ｐ３〜Ｐ１０においては、蒸発源３１に収容された蒸着材料は、加熱されない。
【００３４】
各蒸発源３１は、それぞれ同一の構成を有している。蒸発源３１は、蒸着材料を収容する複数個のボート４２を有している。ボート４２はそれぞれ同一の構成を有し、円筒形状であって、上面に蒸気放出用の長方形状の開口４２ａが形成されている。ボート４２の設置数は上記の例に限定されず、適宜変更することができる。各ボート４２は共通に加熱制御されてもよいし、個別に加熱制御されてもよい。
【００３５】
各ボート４２には、それぞれ同一の蒸着材料が収容されるが、用途に応じてボート４２毎に異なる蒸着材料が収容されてもよい。蒸着材料には、金属、合金、その他の材料が用いられる。蒸着材料は、蒸着膜の種類に応じて適宜選定することができ、シンチレータを製造する場合には、例えば、ヨウ化セシウム（ＣｓＩ）、ヨウ化ナトリウム、臭化セシウムが用いられる。一方、ボート４２の構成材料には、典型的には高融点材料が用いられ、例えば、Ｔａ、Ｗ、Ｎｂ、Ｚｒ、Ｎｉ、Ｍｏなどの金属または合金が挙げられる。また、これら金属とＣ、Ｂ、Ｎ等との化合物が用いられてもよい。
【００３６】
各蒸発源３１は、例えば、抵抗加熱式の蒸発源で構成されている。各蒸発源３１は、後述する加熱機構３３、３４から電力の供給を受けるための受電端子部３１０ａ、３１０ｂ（第１の端子部）を有している。受電端子部３１０ａ、３１０ｂは、図３に示すように、インデックステーブル３０の下方側に突出するようにして、各蒸発源３１の両端部に形成されている。受電端子部３１０ａは、各ボート４２に対して共通の単一の端子部で構成されており、受電端子部３１０ｂは、各ボート４２に独立して設けられた複数の端子部で構成されている。受電端子部３１０ａ、３１０ｂの構成は上記の例に限定されない。
【００３７】
回動機構３２は、インデックステーブル３０を矢印Ｒで示す方向に回動させる。回動機構３２は、インデックステーブル３０の基部３０ａを貫通する回動軸３２１と、回動軸３２１に対して基部３０ａを回動自在に支持する軸受３２２とを有する。回動軸３２１は、インデックステーブル３０の下方に設置された台座３５の底部３５ａに固定されており、台座３５は、隔壁８に固定されている。隔壁８は、蒸発源ユニット３が真空チャンバ２の内部に設置されたとき、真空チャンバ２の側壁部２ａに接合されることで、開口２ｂを気密に閉塞する。
【００３８】
回動機構３２はさらに、水平方向に延在する駆動軸３２３ａを含む駆動源３２３を有している。駆動軸３２３ａの先端部には、インデックステーブル３０の基部３０ａの下端部に取り付けられた第１のギヤ３２４と噛み合う第２のギヤ３２５が取り付けられている。第１のギヤ３２４及び第２のギヤ３２５は、駆動軸３２３ａの回転動力をインデックステーブル３０の水平面内での回転動力に変換する。
【００３９】
駆動源３２３は、典型的には、電動モータで構成されている。駆動源３２３は、隔壁８に気密に固定されている。駆動軸３２３ａは、隔壁８を貫通している。駆動源３２３は、移動台車１０に設置されたコントローラ１０１から駆動信号が入力され、インデックステーブル３０を上記所定角度ピッチで間欠的に回動させる。これにより、インデックステーブル３０上の各蒸発源３１は、位置Ｐ１〜Ｐ１０に順次移動させられる。
【００４０】
インデックステーブル３０の回転軸線Ｌ１は、ステージ６の回転軸線Ｌ２とは異なる直線上に位置している。本実施形態では、インデックステーブル３０の成膜位置Ｐ２がステージ６の回転軸線Ｌ２に位置するように、インデックステーブル３０の回転軸線Ｌ１が定められている。また、図７（Ａ）、（Ｂ）は、成膜位置Ｐ２に位置する蒸発源３１と、ステージ６との位置的関係を示しており、（Ａ）は側方側から見た図、（Ｂ）は上方側から見た図である。軸線Ｌ２をＺ軸、ボート４２の軸線と平行な軸をＸ軸、Ｘ軸及びＸ軸にそれぞれ直交する軸をＹ軸としたときに、蒸発源３１の中心部は、Ｘ−Ｙ−Ｚ座標系の原点に位置している。ここでは、蒸発源３１の中心部は、中央に位置するボート４２の中心部とした。
【００４１】
次に、第１及び第２の加熱機構３３、３４の構成について説明する。
【００４２】
第１及び第２の加熱機構３３、３４は、台座３５の底部３５ａ上に設置されている。第１の加熱機構３３は、インデックステーブル３０の成膜位置Ｐ２に属する蒸発源３１（第１の蒸発源）の直下に位置し、第２の加熱機構３４は、インデックステーブル３０の予備加熱位置Ｐ１に属する蒸発源３１（第２の蒸発源）の直下に位置している。第１及び第２の加熱機構３３、３４はそれぞれ同一の構成を有しているため、ここでは第１の加熱機構３３について説明する。
【００４３】
第１の加熱機構３３は、給電端子部３００ａ、３００ｂ（第２の端子部）を有する。給電端子部３００ａ、３００ｂは、成膜位置Ｐ２に位置する蒸発源３１の受電端子部３１０ａ、３１０ｂにそれぞれ対向する。給電端子部３００は、受電端子部３１０ｂに対応して単一の端子部で構成されており、給電端子部３００ｂは、受電端子部３１０ｂに対応して複数の端子部で構成されている。給電端子部３００ａ、３００ｂは、共通の支持板３０１の上面に設置されており、支持板３０１は、ガイド部３０２を介して台座３５に支持されている。
【００４４】
図４は、第１の加熱機構３３の構成の詳細を示す要部の側面図である。ガイド部３０２は、支持板３０１をインデックステーブル３０の径方向に沿って移動させるためのものであり、架台３０３と、ガイドレール３０４と、リニア軸受３０５などを有する。架台３０３は、台座３５に固定されている。
【００４５】
架台３０３には、電力供給源１０２（図１）と給電端子部３００ａ、３００ｂとの間における電力の授受を中継する中継基板３０６が設置されている。給電端子部３００ａ、３００ｂと中継基板３０６とは、フレキシブル配線基板３０７ａ、３０７ｂを介して相互に接続される。これにより、中継基板３０６に対して相対移動する給電端子部３００ａ、３００ｂに電力を安定して供給することが可能となる。
【００４６】
電力供給源１０２は、移動台車１０に設置されており、当該電力供給源１０２と中継基板３０６との間は、電力ケーブル等の配線部材（図示略）によって接続されている。本実施形態では、電力供給源１０２は、コントローラ１０１によって制御される。すなわち、給電端子部３００ａ、３００ｂに対する電力供給は、コントローラ１０１によって制御される。電力供給源１０２は、第１及び第２の加熱機構３３、３４に対して相互に異なる電力を各々供給できるように構成されている。例えば、電力供給源１０２は、第１の加熱機構３３に電力を供給するための電源と、第２の加熱機構３４に電力を供給するための電源とをそれぞれ備えていてもよい。
【００４７】
ガイドレール３０４は、架台３０３の上部に敷設されている。ガイドレール３０４は、架台３０３に対して、それぞれ平行に一対設けられている。リニア軸受３０５は、ガイドレール３０４と支持板３０１との間に取り付けられ、支持板３０１の直線移動を案内する。
【００４８】
支持板３０１は、シリンダ装置や電動モータによってガイドレール３０４の上を移動される。ガイドレール３０４に対して支持板３０１が往復移動されることで、給電端子部３００ａ、３００ｂが受電端子部３１０ａ、３１０ｂから離間する第１の状態（スイッチオフ状態）と、給電端子部３００ａ、３００ｂが受電端子部３１０ａ、３１０ｂと接触する第２の状態（スイッチオン状態）とを選択的にとることが可能となる。
【００４９】
一方、第２の加熱機構３４もまた、給電端子部３００ａ、３００ｂ（第２の端子部）とを有する（図５）。これら給電端子部３００ａ、３００ｂは、予備加熱位置Ｐ１に位置する蒸発源３１の受電端子部３１０ａ、３１０ｂにそれぞれ対向している。給電端子部３００ａ、３００ｂ及びこれらを支持する支持板３０１を含むガイド部の構成は、第１の加熱機構３３におけるそれらと同一の構成を有するので、その説明は省略する。
【００５０】
蒸発源ユニット３は、第１及び第２の加熱機構３３、３４の給電端子部３００ａ、３００ｂをそれぞれ上記第１の状態と第２の状態との間で往復移動させるスイッチング機構３６をさらに備える。図５及び図６は、スイッチング機構３６の構成を示す要部の平面図である。スイッチング機構３６は、給電端子部３００ａ、３００ｂを架台３０３に対して移動させる駆動源３０８を有する。駆動源３０８は、給電端子部３００ａ、３００ｂをインデックステーブル３０の径方向に沿って移動させる。駆動源３０８は、例えばシリンダ装置で構成されており、隔壁８の外面側に気密に取り付けられている。
【００５１】
駆動源３０８は、その軸方向に伸縮する駆動ロッド３０８ａを有している。駆動ロッド３０８ａは隔壁８を貫通し、駆動ロッド３０８ａの先端部は、インデックステーブル３０の基部３０ａの周囲を取り囲むように形成された枠状の治具３０８ｂに取り付けられている。治具３０８ｂは、連結部３０９を介して、第１及び第２の加熱機構３３、３４の各々の支持板３０１に連結されている。
【００５２】
連結部３０９は、治具３０８ｂに形成された一対の連結板３０９ａと、各連結板３０９ａに形成された貫通孔３０９ｂと、第１及び第２の加熱機構３３、３４の各々の支持板３０１に形成されたピン３０９ｃとを有する。ピン３０９ｃは、貫通孔３０９ｂに嵌合することで、支持板３０１と治具３０８ｂとが相互に連結される。これにより、駆動ロッド３０８ａの伸縮動作によって、各支持板３０１を同時に移動させることが可能となる。
【００５３】
ここで、各貫通孔３０９ｂは、ピン３０９ｃが遊動可能となるように長孔状に形成されている。これにより、図５及び図６に示すように、駆動ロッド３０８ａの伸縮動作に伴う支持板３０１間の相対距離の変動が貫通孔３０９ｂに対するピン３０９ｃの相対移動で吸収され、各支持板３０１の円滑な移動が確保される。
【００５４】
コントローラ１０１は、駆動源３０８の駆動を制御することで、上記スイッチング機構の切替動作を制御する。本実施形態では、インデックステーブル３０の回転時に、給電端子部３００ａ、３００ｂが上記第１の状態をとるようにスイッチング機構３６を制御し、インデックステーブル３０の回転停止時に給電端子部３００ａ、３００ｂが上記第２の状態をとるようにスイッチング機構３６を制御する。以上のようにして、予備加熱位置Ｐ１及び成膜位置Ｐ２に属する蒸発源３１と、第１及び第２の加熱機構３３、３４との接続及び遮断が、スイッチング機構３６によって同時に切り替えられる。これにより、接点の切り替えに要する時間の短縮を図ることができる。
【００５５】
本実施形態の蒸着装置１は、以上のように構成される。次に、蒸着装置１の典型的な動作について説明する。ここでは、蒸着材料にヨウ化セシウムを用いて、ガラス製の基板Ｓ上にヨウ化セシウム膜を蒸着させる方法について説明する。
【００５６】
図１に示すように、移動台車１０が真空チャンバ２に装着され、各蒸発源３１に蒸着材料が収容された蒸発源ユニット３が真空チャンバ２の内部に配置される。その後、真空ポンプ５が駆動され、真空チャンバ２の内部（蒸着室Ｖ）が１×１０−３Ｐａ以下に真空排気された後、Ａｒなどのガスを導入し１〜０．０５Ｐａ程度に調整される。
【００５７】
基板Ｓは、ステージ６の下面に支持されており、基板Ｓの中心部は、成膜位置にＰ２に属する蒸発源３１と対向している。ステージ６は、内蔵するヒータによって基板Ｓを所定温度に加熱し、かつ、駆動モータ７の駆動により、中心軸のまわりに所定の回転数で回転させられる。上記所定温度は特に限定されず、例えば、１００〜３００℃程度とされる。
【００５８】
蒸発源ユニット３において、インデックステーブル３０の回転は停止されており、第１及び第２の加熱機構３３、３４の給電端子部３００ａ、３００ｂは、予備加熱位置Ｐ１及び成膜位置Ｐ２に属する蒸発源３１の受電端子部３１０ａ、３１０ｂと接触した状態（図６）とされる。この状態で、コントローラ１０１は、電力供給源１０２を制御して、第１及び第２の加熱機構３３、３４に対して所要の電力を供給する。これにより、予備加熱位置Ｐ１及び成膜位置Ｐ２に属する各蒸発源３１に収容された蒸着材料が、それぞれ所定温度に加熱される。
【００５９】
予備加熱位置Ｐ１において、当該位置に属する蒸発源３１（ボート４２）に収容されている蒸着材料は、所定の予備加熱温度に加熱されるとともに、その温度に保持される。予備加熱温度は、蒸着材料の融点より低い温度であれば特に制限されない。この予備加熱温度は、成膜位置Ｐ２において、効率よく蒸発させることができるように蒸着材料を溶かし込むことができる温度に設定することができる。例えば、蒸着材料をヨウ化セシウムとし、その蒸発温度を５００〜７５０℃とした場合、予備加熱温度は、３００〜５００℃に設定される。
【００６０】
一方、成膜位置Ｐ２において、当該位置に属する蒸発源３１（ボート４２）に収容されている蒸着材料は、当該蒸着材料の融点以上である所定の蒸発温度に加熱される。例えば、蒸着材料をヨウ化セシウムとした場合、蒸発温度は５００〜７５０℃に設定される。蒸着材料の蒸発粒子は、対向するステージ６上の基板Ｓの表面に堆積する。これにより、基板Ｓの表面に、ヨウ化セシウム膜が形成される。
【００６１】
例えばシンチレータパネルを構成するシンチレータ層は、３００〜１０００μｍの厚みで形成される。このように厚みの大きな蒸着膜をひとつの蒸発源で成膜することが困難である場合、複数の蒸発源を順次切り替えて連続的に成膜する方法が採られている。そこで本実施形態では、以下のように、インデックステーブル３０上の複数の蒸発源３１を用いて厚みの大きな蒸着膜を連続的に成膜するようにしている。
【００６２】
本実施形態の蒸着装置１においては、インデックステーブル３０を矢印Ｒ（図２）方向に所定角度回転させることによって、予備加熱位置Ｐ１に位置する蒸発源３１を成膜位置Ｐ２へ移動させる。蒸発源３１の切り替えのタイミングは適宜設定することができ、典型的には、ひとつの蒸発源３１による成膜時間で決定することができる。また、蒸着材料の残存量をモニタリングし、その量が所定以下になったときにインデックステーブル３０を回転させるようにしてもよい。
【００６３】
成膜位置Ｐ２に属する蒸発源３１の切り替え動作は、以下のようにして行われる。
【００６４】
まず、コントローラ１０１は、電力供給源１０２から加熱機構３３、３４の各給電端子部３００ａ、３００ｂへの電力の供給を遮断した後、駆動源３０８を駆動させて、スイッチング機構３６を上記第1の状態とする。これにより、給電端子部３００ａ、３００ｂは、受電端子部３１０ａ、３１０ｂから離間する（図５）。次いで、コントローラ１０１は、駆動源３２３を駆動して、インデックステーブル３０を矢印Ｒ（図２）方向へ１ピッチ分回転させる。これにより、予備加熱位置Ｐ１上の蒸発源３１が成膜位置Ｐ２へ移動させられる。
【００６５】
成膜位置Ｐ２に属する蒸発源３１が切り替えられた後、コントローラ１０１は、駆動源３０８を駆動させて、スイッチング機構３６を上記第２の状態とする。これにより、新たな蒸発源３１の受電端子部３１０ａ、３１０ｂに対して給電端子部３００ａ、３００ｂが接続される（図６）。その後、電力供給源１０２から各給電端子部３００ａ、３００ｂへそれぞれ所要の電力が供給される。これにより、成膜位置Ｐ２に供給された新しい蒸発源３１を用いて、基板Ｓに対する蒸着処理が再開される。本実施形態においては、基板Ｓに対して柱状結晶構造のヨウ化セシウム膜が形成される。なお、待機位置Ｐ１０から予備加熱位置Ｐ１へ移動された蒸発源３１は、予備加熱位置Ｐ１において上述した予備加熱処理が施される。
【００６６】
上述のようにして成膜位置Ｐ２へ移動された蒸発源３１は、あらかじめ予備加熱位置Ｐ１において所定温度に加熱され、その温度が保持された状態で成膜位置Ｐ２へ導入される。したがって、成膜位置Ｐ２に移動された後、蒸着材料の溶かし込みに要する時間を大幅に削減できるため、蒸発源３１に収容されている蒸着材料は、成膜位置Ｐ２において速やかに蒸発させられる。これにより、蒸発源３１の切り替え前後にわたる成膜停止時間を極力短くすることができるため、基板Ｓに対する連続成膜が可能となる。
【００６７】
以後、同様な動作を繰り返して、インデックステーブル３０上の蒸発源３１が順次、予備加熱位置Ｐ１及び成膜位置Ｐ２へ移動される。そして、予備加熱位置Ｐ１及び成膜位置Ｐ２において、蒸発源３１のボート４２に収容された蒸着材料に対して、それぞれ上述した予備加熱処理及び蒸発のための加熱処理が行われる。
【００６８】
図８（Ａ）、（Ｂ）は、予備加熱した蒸着材料を蒸発させるときのプロセス時間と、予備加熱していない蒸着材料を蒸発させるときのプロセス時間とを比較した説明図である。蒸着材料を予備加熱しない場合、図８（Ａ）に示すように、１組目の蒸発源を２組目の蒸発源に切り替えた後、成膜位置において２組目の蒸着材料の溶かし込みのための時間が必要となり、その分、基板Ｓに対する所定厚みの蒸着膜の形成時間が長くなる。これに対して、本実施形態のように予備加熱した２組目の蒸着材料を成膜位置へ搬送する場合、図８（Ｂ）に示すように、成膜位置における２組目の蒸着材料の溶かし込みに要する時間を大幅に削減できるため、所定厚みの蒸着膜を短時間で形成することが可能となる。
【００６９】
また、蒸発源３１の切り替えに伴う成膜停止時間を極力短くすることができるため、ガス吸着や基板温度の変動による界面の形状や柱状結晶の乱れを生じさせることなく、厚みの大きな蒸着膜を形成することが可能となる。特に、例えばシンチレータ層の成膜に本実施形態を適用した場合、所望とする発光効率を有するシンチレータ層を安定して形成することが可能となる。
【００７０】
一方、本実施形態の蒸着装置１は、インデックステーブル３０上の予備加熱位置Ｐ１及び成膜位置Ｐ２に属する蒸発源３１にのみ加熱用電源の接点機構が構成されている。これにより、複数の蒸発源の中から特定の蒸発源に対してのみ加熱処理を施すことが可能となるため、電力供給源１０２の電力供給量を小さくすることができる。また、全ての蒸発源を電力供給源に接続する場合と比較して、装置構成の複雑化を抑えることができる。
【００７１】
予備加熱位置Ｐ１及び成膜位置Ｐ２に属する各々の蒸発源３１に対する給電端子部３００ａ、３００ｂと受電端子部３１０ａ、３１０ｂとの間の接続／遮断は、上記スイッチング機構によって同時に行われる。このように、各加熱機構３３、３４に対するスイッチング機構を各々独立して構成する場合と比較して、装置構成の簡素化を図ることができる。また、インデックステーブル３０は、給電端子部３００ａ、３００ｂと受電端子部３１０ａ、３１０ｂとが相互に離間した状態（第１の状態）において駆動源３２３から回転駆動力を受けるため、インデックステーブル３０の円滑な回転動作が確保される。
【００７２】
一方、電力供給源１０２から給電端子部３００ａ、３００ｂへの電力の供給は各加熱機構３３、３４に対して同期させてもよいが、これに限られない。図８（Ｂ）に示したように、予備加熱位置Ｐ１における蒸着材料の加熱開始を、成膜位置Ｐ２における蒸着材料の加熱開始よりも遅らせることにより、トータル電力の更なる削減を図ることができる。予備加熱位置Ｐ１における蒸着材料の加熱開始遅延時間は、蒸着材料の融点や収容量、昇温速度などに応じて適宜設定することができる。
【００７３】
以上のように、本実施形態によれば、インデックステーブル３０上の複数の蒸発源３１を予備加熱位置Ｐ１及び成膜位置Ｐ２へ順次移動させながら、基板Ｓに対する連続成膜が可能となる。これにより、生産性の向上を図ることができるとともに、所望とする膜構造を有し、かつ比較的厚みの大きい蒸着膜を安定して形成することが可能となる。
【００７４】
一方、本実施形態では、蒸発源３１は複数のボート４２を収容し、これら各ボート４２を同時に加熱して蒸着材料を蒸発させるようにしている。このため、各ボート４２から放出される蒸気が、隣接するボート４２から放出される蒸気と干渉し合うことで、蒸気が蒸発源３１の直上方向（Ｚ軸方向）に向けられる。これにより、蒸気の指向性が大きくなり、蒸着材料の使用効率を高めることが可能となる。
【００７５】
ここで、蒸発材料の蒸気の指向性は、一般にｃｏｓ（ｎ＋３）θで表され、ｎの値が大きいほど蒸発源からの蒸気の広がり角（立体角）が小さく、蒸気の指向性が高くなる。ここで、ｎ値は蒸発材料の蒸気の広がり方を表しており、ｎが大きいほど蒸気が広がらず絞られて、指向性が高くなる。蒸気の指向性が高いほど、基板への付着量は大きくなる。また、それに伴い、真空チャンバ２の内壁面への材料の付着量は少なくなる。つまり、より指向性の大きな蒸発源を用いることで、材料の使用効率及び基板への成膜効率をともに向上させることが可能となる。
【００７６】
本発明者らは、１〜１０ｍｍ×４０〜１００ｍｍの大きさの開口を有するボートを１０〜３００ｍｍのピッチで２個以上並列に並べ、同時に加熱することにより、蒸気の指向性を向上させることができることを見出した。すなわち、上述の条件で蒸発源を構成することにより、ボートの開口から放出される蒸気がボート間で相互に干渉し合い、各ボートから放出される蒸気の流れを蒸発源の直上方向に向けさせることができる。
【００７７】
図７に示すように、縦５ｍｍ×横７０ｍｍの開口４２ａを有する直径３０ｍｍφ×長さ１００ｍｍのＴａ製の円筒形ボート４２を３個、４０ｍｍピッチで並べた蒸発源３１を用意した。蒸発源３１と基板Ｓとの間の距離は４５０ｍｍとした。この蒸発源３１を用いて実際に基板Ｓに蒸着材料を蒸着させ、その膜厚分布（実測値）を得た。成膜時はチャンバ内にアルゴンガスを導入し、圧力は１×１０Ｅ−１（１×１０−１）Ｐａとした。一方、比較例として、上記構成のボートを１本だけ用いて成膜したときの膜厚分布を基に、当該ボートを４０ｍｍピッチで３本並べて成膜した場合の膜厚分布（計算値）を得た。上記実験の実測値と計算値とを図９に示す。図９から明らかなように、計算値に比べて実測値の方が、ボートから放出される蒸気流の指向性が高いことが確認された。
【００７８】
上記構成において、ボート４２単独でのｎ値は０．５であった。３本のボート４２を５０ｍｍピッチで並べて蒸発源を構成したときのｎ値は２であった。ボート４２の配置間隔（ピッチ）が大きくなるほど、各ボートから放出される蒸気間の干渉効果が小さくなるため、ｎ値はボート単独でのｎ値に近づく。したがって、ｎ値を大きくするためには、ボート間のピッチは小さいほどよい。
【００７９】
以上、本発明の実施形態について説明したが、勿論、本発明はこれに限定されることはなく、本発明の技術的思想に基づいて種々の変形が可能である。
【００８０】
例えば以上の実施形態では、単一の蒸発源ユニット３を備えた蒸着装置を例に挙げて説明したが、蒸発源ユニット３以外の他の蒸発源を備えていてもよい。当該他の蒸発源は、例えば、添加元素や合金元素の蒸発源とすることができる。また、当該他の蒸発源もまた、蒸発源ユニット３と同様に構成してもよい。
【００８１】
各蒸発源３１の３本のボート４２に対して加熱用の電力を供給するに際して、当該電力値は、ボート４２毎に異ならせてもよい。例えば、中央に位置するボートよりも外側に位置するボートの方が加熱温度が大きくなるように供給電力値が調整されてもよい。
【００８２】
また、以上の実施形態では、蒸発源ユニット３を真空チャンバ２に対して着脱自在に構成した蒸着装置１を例に挙げて説明したが、これに限られず、当該蒸発源ユニットを真空チャンバの内部に固定した蒸着装置にも、本発明は適用可能である。
【符号の説明】
【００８３】
１…蒸着装置
２…真空チャンバ
３…蒸発源ユニット
６…ステージ
１０…移動台車
３０…インデックステーブル
３１…蒸発源
３２…回動機構
３３…第１の加熱機構
３４…第２の加熱機構
３６…スイッチング機構
４２…ボート
１０１…コントローラ
１０２…電力供給源
３００ａ、３００ｂ…給電端子部
３１０ａ、３１０ｂ…受電端子部
３０２…ガイド部
３０８、３２３…駆動源
Ｐ１…予備加熱位置
Ｐ２…成膜位置
Ｐ３〜Ｐ１０…待機位置
Ｓ…基板
Ｖ…蒸着室
【図１】
2011080136.tif 000003
【図２】
2011080136.tif 000004
【図３】
2011080136.tif 000005
【図４】
2011080136.tif 000006
【図５】
2011080136.tif 000007
【図６】
2011080136.tif 000008
【図７】
2011080136.tif 000009
【図８】
2011080136.tif 000010
【図９】
2011080136.tif 000011